(57)【要約】【課題】一過性の測定条件想定外状態での、センサ異常判定を回避すること。【解決手段】流量検出部１１と、流量算出部１２、異常流量判定部１３と、弁駆動部１４と、弁１５と、復帰入力部１６と、異常バイパス部１７と、センサ異常判定部１８とを備え、異常バイパス部１７が異常流量判定部１３の弁閉信号Ｃまたは復帰入力部１６の弁開信号Ｅを受け取ると任意の時間バイパス信号Ｆを出力し、センサ異常判定部１８はバイパス信号Ｆがあれば異常判定を停止し、一過性の測定条件想定外の状態でのセンサ異常判定を回避することができる。【選択図】図１
2007147430.tif 000002
【特許請求の範囲】
【請求項１】
ガス通路内を通過するガス流量が異常であると判定時に前記ガス通路内のガスの流れを遮断する弁を設けたガス遮断装置において、前記ガス通路内を通過するガス流量に対応した物理量を検出するセンサを設け流量信号を出力する流量検出部と、前記流量検出部の前記流量信号を入力し流量を算出する流量算出部と、前記流量算出部が算出した流量値と予め保持している判定値とを比較し異常であれば弁閉信号を出力する異常流量判定部と、前記流量検出部からの流量信号に基づきセンサ異常判定を行い異常であると判定した場合には弁閉信号を出力するセンサ異常判定部と、閉栓状態から開栓状態への復帰入力を受け付けると弁開信号を出力する復帰入力部と、前記異常流量判定部の弁閉信号または前記復帰入力部の弁開信号あるいは前記センサ異常判定部の弁閉信号を入力し弁駆動信号を出力する弁駆動部と、前記弁駆動部の弁駆動信号を受け取ると前記ガス通路を開栓または閉栓する弁と、前記異常流量判定部の弁閉信号または前記復帰入力部の弁開信号を入力し所定時間バイパス信号を出力する異常バイパス部とを備え、前記センサ異常判定部が、前記異常バイパス部からのバイパス信号がなければ前記流量検出部の流量信号が予め定められた異常条件に合致するかどうかの異常判定を実施し異常成立時に弁閉信号を出力し、前記異常バイパス部からのバイパス信号があれば予め定められた異常条件の判定を停止するとともに、前記異常バイパス部は、前記異常流量判定部の弁閉信号または前記復帰入力部の弁開信号の入力を起点として所定時間前記流量検出部の流量信号の判定をバイパスすることを特徴としたガス遮断装置。
【請求項２】
ガス通路内を通過するガス流量が異常であると判定時に前記ガス通路内のガスの流れを遮断する弁を設けたガス遮断装置において、前記ガス通路内を通過するガス流量に対応して流量信号を出力する流量検出部と、前記流量検出部の流量信号を入力し流量を算出する流量算出部と、前記流量算出部が算出した流量値と予め保持している判定値とを比較し異常であれば弁閉信号を出力する異常流量判定部と、閉栓状態から開栓状態への復帰入力を受け付けると弁開信号を出力する復帰入力部と、前記異常流量判定部の弁閉信号または復帰入力部の弁開信号を入力し弁駆動信号を出力する弁駆動部と、前記弁駆動部の弁駆動信号を入力しガス通路を開栓または閉栓する弁と、前記異常流量判定部の弁閉信号または前記復帰入力部の弁開信号を入力し所定時間前記流量算出部からの流量値の出力を停止する積算バイパス部と、前記積算バイパス部からの流量値を受け取ると流量値を積算して保持する積算部とを備えることにより、前記積算バイパス部が前記異常流量判定部の弁閉信号または前記復帰入力部の弁開信号の入力を起点として所定時間前記積算バイパス部からの流量値の出力を停止することを特徴としたガス遮断装置。
【請求項３】
ガス通路内を通過するガス流量が異常であると判定時に前記ガス通路内のガスの流れを遮断する弁を設けたガス遮断装置において、前記ガス通路内を通過するガス流量に対応して流量信号を出力する流量検出部と、前記流量検出部の流量信号を入力しガス流量を算出する流量算出部と、流量値を受け取ると予め保持している判定値と比較し異常であれば弁閉信号を出力する前記異常流量判定部と、前記異常流量判定部の弁閉信号または前記復帰入力部の弁開信号を受け取ると弁駆動信号を出力する弁駆動部と、前記弁駆動部の弁駆動信号を入力し前記ガス通路を開栓または閉栓する弁と、閉栓状態から開栓状態への復帰入力を受け付けると弁開信号を出力する復帰入力部と、前記異常流量判定部の弁閉信号または復帰入力部の弁開信号を受け取ると所定時間前記流量算出部からの流量値の出力を停止する流量バイパス部と、前記流量バイパス部が前記異常流量判定部の前記弁閉信号または前記復帰入力部の前記弁開信号を起点として任意の時間前記流量バイパス部からの流量値の出力を停止することを特徴としたガス遮断装置。
【請求項４】
センサ異常判定部を、異常バイパス部からのバイパス信号がなければ流量検出部の流量信号が予め定められた異常条件に合致するかどうかの異常判定を実施し異常成立時にのみ弁
閉信号を出力し、前記異常バイパス部からのバイパス信号があれば流量算出部の流量値が所定値以上の場合、予め定められた異常条件の判定を実施し異常否成立になるとパージ完了信号を出力し前記流量算出部の流量値が所定未満の場合は予め定められた異常条件の判定を停止する前記センサ異常判定部と、前記センサ異常判定部のパージ完了信号を受け取るとパージ完了表示をする表示部と、前記センサ異常判定部のパージ完了信号を受け取ると外部に通報する外部通信部とを備え、異常判定が否成立状態で前記流量算出部からの流量値が所定値以上であることで異常状態が確実に解除されガスを正常に使うことが可能となったことを表示し通報することを特徴とした請求項１記載のガス遮断装置。
【発明の詳細な説明】
【技術分野】
【０００１】
本発明はガス遮断装置がガス通路を開閉栓したときに、測定条件想定外の流量に基づく異常判定を実施しないようにするものである。
【背景技術】
【０００２】
従来、この種のガス遮断装置は、特許文献１に記載されているように構成されている。
【０００３】
図５は、特許文献１に記載された従来のガス遮断装置を示すものである。図５に示すように、ガス通路内を通過するガス流量に対応して流量信号ａを出力する流量検出部１と、前記流量検出部１の前記流量信号ａを受け取ると流量ｂを算出する流量算出部２と、前記流量算出部２の前記流量ｂを受け取ると予め保持している判定値と比較し異常であれば弁閉信号ｃを出力する異常流量判定部３と、前記異常流量判定部３の前記弁閉信号ｃまたは復帰入力部８の弁開信号ｅあるいはセンサ異常判定部６の前記弁閉信号ｃを受け取ると弁駆動信号ｄを出力する弁駆動部４と、前記弁駆動部４の前記弁駆動信号ｄを受け取るとガス通路を開栓または閉栓する弁５と、前記流量検出部１の前記流量信号ａが予め定められた異常条件に合致するかどうかの異常判定を実施し異常成立時にのみ前記弁閉信号ｃを出力する前記センサ異常判定部６と、前記流量算出部２の前記流量ｂを受け取ると前記流量ｂを積算して保持する積算部７と、外部より復帰入力を受け付けると前記弁開信号ｅを出力する前記復帰入力部８とから構成されている。
【特許文献１】特許第３６２４６４２号公報
【発明の開示】
【発明が解決しようとする課題】
【０００４】
しかしながら、前記従来の構成では流量検出部１で検出した流量信号ａに基づき、異常流量判定、センサ異常判定、積算を実施するよにしているので、流量信号ａが現在使用しているガス種と異なる気体（例えば、熱量転換時やガス遮断装置の設置・交換時）が不均一に混合すると測定条件想定外の流量（不均一でガスの層が出来ると超音波の伝搬が均一になっている時と異なる伝わり方となるため）を示す可能性がある。
【０００５】
超音波式ガス遮断装置の流量計測は上流側から下流側と下流側から上流側とセンサの送受信を切替、伝搬時間Ｔの差から流速を求める構成になっている。すなわち、発信側のセンサから出力された超音波を受信側では図６に示すような波形として取得し、Ｖのレベルを３波目が超えその後に初めてゼロクロスする時点を伝搬時間Ｔとして測定している。このため波形全体が適正な大きさでなければ異常な流速を算出することとなる。
【０００６】
この適正な波形をつくるために波形の最大ピークをＶＨ、ＶＬの間に入るように都度ゲイン補正し、波形の３波目が常に初めてＶのレベルを超えるようにしている。従って、ゲイン補正が想定外の変動（ゲインの上げ下げが追従できないくらい変化した場合や、上下限値に張り付いた場合等で適正な波形が得られないような場合）を必要とされたときに計測した流速が異常（例えば２波目や４波目で初めてＶのレベルを超えた場合や、全ての波形のピークがＶのレベルを超えない場合等）となる可能性があるという課題を有していた。
【０００７】
本発明は、前記従来の課題を解決するもので、測定条件想定外の流量信号に基づく判定を回避するために測定条件想定外となりうる可能性がある弁開閉時（例えば、熱量転換時やガス遮断装置の設置・交換時含めた遮断、復帰のタイミング）において、一過性（ガス種と異なる気体が均一化するまでの間）の異常な流量信号を任意の時間バイパスして異常
判定処理を回避するガス遮断装置を提供することを目的とする。
【課題を解決するための手段】
【０００８】
前記従来の課題を解決するために、本発明のガス遮断装置は、異常バイパス部が異常流量判定部の弁閉信号または復帰入力部の弁開信号を受け取ると任意の時間バイパス信号を出力し、センサ異常判定部はバイパス信号があれば異常判定を停止するようにしたものである。
【０００９】
これによってガス遮断装置が弁を開閉栓したときに発生する可能性のある一過性の異常な流量信号を任意の時間バイパスすることで、測定条件想定外の流量に基づく異常判定処理を回避することができる。
【発明の効果】
【００１０】
本発明のガス遮断装置は任意の時間センサ異常判定をバイパスすることが可能となり、一過性の異常な流量信号を排除することが可能となる。従って、センサや計測回路が物理的に破損または故障しているような永続的なものと、一過性の異常な流量信号に基づくものとを切り分けることが可能となり、システムの信頼性を向上させることができる。
【発明を実施するための最良の形態】
【００１１】
第１の発明は、ガス通路内を通過するガス流量が異常であると判定時に前記ガス通路内のガスの流れを遮断する弁を設けたガス遮断装置において、前記ガス通路内を通過するガス流量に対応した物理量を検出するセンサを設け流量信号を出力する流量検出部と、前記流量検出部の流量信号を入力し流量を算出する流量算出部と、前記流量算出部が算出した流量値と予め保持している判定値とを比較し異常であれば弁閉信号を出力する異常流量判定部と、前記流量検出部からの流量信号に基づきセンサ異常判定を行い異常であると判定した場合には弁閉信号を出力するセンサ異常判定部と、弁閉状態から弁開状態への復帰入力を外部通信またはガス遮断装置に設けられたスイッチ等から入力すると弁開信号を出力する復帰入力部と、前記異常流量判定部の弁閉信号または前記復帰入力部の弁開信号あるいは前記センサ異常判定部の弁閉信号を入力し弁駆動信号を出力する弁駆動部と、前記弁駆動部の弁駆動信号を受け取るとガス通路を開栓または閉栓する弁と、前記異常流量判定部の弁閉信号または前記復帰入力部の弁開信号を入力し所定時間バイパス信号を出力する異常バイパス部とを備え、前記センサ異常判定部が、前記異常バイパス部からのバイパス信号がなければ前記流量検出部の流量信号が予め定められた異常条件に合致するかどうかの異常判定を実施し異常成立時に弁閉信号を出力し、前記異常バイパス部からのバイパス信号があれば予め定められた異常条件の判定を停止するとともに、前記異常バイパス部は、前記異常流量判定部の弁閉信号または前記復帰入力部の弁開信号の入力を起点として所定時間前記流量検出部の流量信号の判定をバイパスすることで、前記センサ異常判定部が測定条件想定外の流量信号を異常と判定しないようにできる。
【００１２】
第２の発明は、ガス通路内を通過するガス流量が異常であると判定時に前記ガス通路内のガスの流れを遮断する弁を設けたガス遮断装置において、前記ガス通路内を通過するガス流量に対応して流量信号を出力する流量検出部と、前記流量検出部の流量信号を入力し流量を算出する流量算出部と、前記流量算出部が算出した流量値と予め保持している判定値とを比較し異常であれば弁閉信号を出力する異常流量判定部と、弁閉状態から弁開状態への復帰入力を外部より受け付けると前記弁開信号を出力する復帰入力部と、前記異常流量判定部の弁閉信号または復帰入力部の弁開信号を入力し弁駆動信号を出力する弁駆動部と、前記弁駆動部の弁駆動信号を入力しガス通路を開栓または閉栓する弁と、前記異常流量判定部の弁閉信号または前記復帰入力部の弁開信号を入力し所定時間前記流量算出部からの流量値の出力を停止する積算バイパス部と、前記積算バイパス部からの流量値を受け取ると流量値を積算して保持する積算部とを備えることにより、前記積算バイパス部が前
記異常流量判定部の弁閉信号または前記復帰入力部の弁開信号の入力を起点として所定時間前記積算バイパス部からの流量値の出力を停止することで、前記積算部が測定条件想定外の流量値を積算しないようにできる。
【００１３】
第３の発明は、ガス通路内を通過するガス流量が異常であると判定時に前記ガス通路内のガスの流れを遮断する弁を設けたガス遮断装置において、前記ガス通路内を通過するガス流量に対応して流量信号を出力する流量検出部と、前記流量検出部の流量信号を入力しガス流量を算出する流量算出部と、流量値を受け取ると予め保持している判定値と比較し異常であれば弁閉信号を出力する前記異常流量判定部と、前記異常流量判定部の弁閉信号または前記復帰入力部の弁開信号を受け取ると弁駆動信号を出力する弁駆動部と、前記弁駆動部の弁駆動信号を入力し前記ガス通路を開栓または閉栓する弁と、閉栓状態から開栓状態への復帰入力を受け付けると弁開信号を出力する復帰入力部と、前記異常流量判定部の弁閉信号または復帰入力部の弁開信号を受け取ると所定時間前記流量算出部からの流量値の出力を停止する流量バイパス部と、前記流量バイパス部が前記異常流量判定部の前記弁閉信号または前記復帰入力部の前記弁開信号を起点として任意の時間前記流量バイパス部からの流量値の出力を停止することで、前記異常流量判定部が測定条件想定外の前記流量を判定しないようにすることができる。
【００１４】
第４の発明は、特に第１の発明のセンサ異常判定部を、異常バイパス部からのバイパス信号がなければ流量検出部の流量信号が予め定められた異常条件に合致するかどうかの異常判定を実施し異常成立時にのみ弁閉信号を出力し、前記異常バイパス部からの前記バイパス信号があれば流量算出部の流量が所定以上の場合、予め定められた異常条件の判定を実施し異常否成立になるとパージ完了信号を出力し、前記流量算出部の前記流量が所定未満の場合は予め定められた異常条件の判定を停止する前記センサ異常判定部と、前記センサ異常判定部の前記パージ完了信号を受け取るとパージ完了表示をする表示部と、前記センサ異常判定部の前記パージ完了信号を受け取ると外部に通報する外部通信部とにより、異常判定が否成立状態で前記流量算出部からの前記流量が所定以上流れていることで異常状態が確実に解除されガスを正常に使うことが可能となったことを表示し通報することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるガス遮断装置の機能ブロック図を示すものである。
【００１７】
図１において、流量検出部１１はガス通路内を通過するガス流量（例えば、ガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても同様の効果が得られる）に対応して流量信号Ａを出力する。
【００１８】
流量算出部１２は流量検出部１１の流量信号Ａを受け取ると流量Ｂを算出する。
【００１９】
異常流量判定部１３は流量算出部１２の流量Ｂを受け取ると予め保持している判定値（例えば、ガス遮断装置が許容している最大通過ガス流量でもよいし、少量のガス流量が継続して流れ続けて許容時間を超えた場合でもよい）と比較し異常であれば弁閉信号Ｃを出力する。
【００２０】
弁駆動部１４は異常流量判定部１３の弁閉信号Ｃまたは復帰入力部１６の弁開信号Ｅあ
るいはセンサ異常判定部１８の弁閉信号Ｃを受け取ると弁駆動信号Ｄ（例えば、弁１５を開栓または閉栓するように駆動させる信号）を出力する。
【００２１】
弁１５は弁駆動部１４の弁駆動信号Ｄを受け取るとガス通路を開栓または閉栓する。
【００２２】
復帰入力部１６は外部より復帰入力（例えば、ボタンによる入力でも良いし、リードスイッチのような非接触のものでも良いし、通信電文による入力でも同等の効果が得られる）を受け付けると弁開信号Ｅを出力する。
【００２３】
異常バイパス部１７は異常流量判定部１３の弁閉信号Ｃまたは復帰入力部１６の弁開信号Ｅを受け取ると任意の時間（例えば、ガス種と異なる気体が均一化するまでの１０分間としても良いし、無条件１時間等に設定してもよい）バイパス信号Ｆを出力（任意の時間が経過する前に弁閉信号Ｃまたは弁開信号Ｅが再度発生する場合は、任意の時間を再スタートさせて延長してもよい）する。
【００２４】
センサ異常判定部１８は異常バイパス部１７からのバイパス信号Ｆがなければ流量検出部１１の流量信号Ａが予め定められた異常条件（例えば、連続でセンサからの信号がない場合や、ゲイン補正の値が上下限値に張り付く場合など）に合致するかどうかの異常判定を実施し異常成立時にのみ弁閉信号Ｃを出力する。異常バイパス部１７からのバイパス信号Ｆがあれば予め定められた異常条件の判定を停止する。
【００２５】
以上のように構成されたガス遮断装置について、以下その動作、作用を説明する。
【００２６】
まず、弁閉信号Ｃまたは弁開信号Ｅが発生（また地震、警報器、圧力低下・上昇等の他のセンサにより異常を検出した場合であっても良いし、有線または無線による通信で弁の開閉を指示された場合でも良い）すると任意の時間バイパス信号Ｆを出力する。
そして、バイパス信号Ｆがあれば予め定められた異常条件の判定を停止することとなる。
【００２７】
以上のように、本実施の形態においてはセンサ異常判定部１８が、流量検出部１１からのガス遮断装置が弁を開閉栓したとき発生する可能性のある一過性の異常な流量信号Ａを排除することができ、異常な流量信号Ａに基づくセンサ異常判定を回避することができる。
【００２８】
（実施の形態２）
図２は、本発明の実施の形態２におけるガス遮断装置の機能ブロック図を示すものである。
【００２９】
図２において、流量検出部１１はガス通路内を通過するガス流量に対応して流量信号Ａを出力する。流量算出部１２は流量検出部１１の流量信号Ａを受け取ると流量Ｂを算出する。
【００３０】
異常流量判定部１３は流量算出部１２の流量Ｂを受け取ると予め保持している判定値と比較し異常であれば弁閉信号Ｃを出力する。
【００３１】
弁駆動部１４は異常流量判定部１３の弁閉信号Ｃまたは復帰入力部１６の弁開信号Ｅを受け取ると弁駆動信号Ｄを出力する。弁１５は弁駆動部１４の弁駆動信号Ｄを受け取るとガス通路を開栓または閉栓する。
【００３２】
復帰入力部１６は外部より復帰入力を受け付けると弁開信号Ｅを出力する。
【００３３】
積算バイパス部１９は異常流量判定部１３の弁閉信号Ｃまたは復帰入力部１６の弁開信号Ｅを受け取ると任意の時間（例えば、ガス種と異なる気体が均一化するまでの１０分間としても良いし、ゲイン補正の値が所定値未満になるまでとしても良い。また復帰入力後のガス通路内に漏れがないことが確認され弁が開栓されるまでの期間としても同等効果が得られる）流量算出部１２の流量Ｂの出力を停止する（任意の時間が経過する前に弁閉信号Ｃまたは弁開信号Ｅが再度発生する場合は、任意の時間を再スタートさせて延長してもよい）。
【００３４】
積算部２０は積算バイパス部１９からの流量Ｂを受け取ると流量Ｂを積算して保持（例えば、保持した積算値は有線または無線による通信で外部に出力したり、ＬＣＤ等に表示される）する。
【００３５】
以上のように構成されたガス遮断装置について、以下その動作、作用を説明する。
【００３６】
まず、弁閉信号Ｃまたは弁開信号Ｅが発生（また地震、警報器、圧力低下・上昇等の他のセンサにより異常を検出した場合であっても良いし、有線または無線による通信で弁の開閉を指示された場合でも良い）すると任意の時間流量Ｂの出力を停止する。
【００３７】
以上のように、本実施の形態においては積算バイパス部１９が、流量算出部１２からのガス遮断装置が弁を開閉栓したとき発生する可能性のある一過性の異常な流量Ｂを排除することができ、一過性の異常な流量Ｂを積算することを回避することができる。
【００３８】
（実施の形態３）
図３は、本発明の実施の形態３におけるガス遮断装置の機能ブロック図を示すものである。
【００３９】
図３において、流量検出部１１はガス通路内を通過するガス流量に対応して流量信号Ａを出力する。流量算出部１２は流量検出部１１の流量信号Ａを受け取ると流量Ｂを算出する。
【００４０】
流量バイパス部２１は異常流量判定部１３の弁閉信号Ｃまたは復帰入力部１６の弁開信号Ｅを受け取ると任意の時間（例えば、ガス種と異なる気体が均一化するまでの１０分間としても良いし、ゲイン補正の値が所定値未満になるまでとしても良い。また復帰入力後のガス通路内に漏れがないことが確認され弁が開栓されるまでの期間としても同等効果が得られる）流量算出部１２の流量Ｂの出力を停止する（任意の時間が経過する前に弁閉信号Ｃまたは弁開信号Ｅが再度発生する場合は、任意の時間を再スタートさせて延長してもよい）。
【００４１】
異常流量判定部１３は流量バイパス部２１からの流量Ｂを受け取ると予め保持している判定値と比較し異常であれば弁閉信号Ｃを出力する。
【００４２】
弁駆動部１４は異常流量判定部１３の弁閉信号Ｃまたは復帰入力部１６の弁開信号Ｅを受け取ると弁駆動信号Ｄを出力する。弁１５は弁駆動部１４の弁駆動信号Ｄを受け取るとガス通路を開栓または閉栓する。
【００４３】
復帰入力部は外部より復帰入力を受け付けると弁開信号Ｅを出力する。
【００４４】
以上のように構成されたガス遮断装置について、以下その動作、作用を説明する。
【００４５】
まず、弁閉信号Ｃまたは弁開信号Ｅが発生（また地震、警報器、圧力低下・上昇等の他
のセンサにより異常を検出した場合であっても良いし、有線または無線による通信で弁の開閉を指示された場合でも良い）すると任意の時間流量Ｂの出力（例えば、ガス通路の閉栓後、流量が発生すると弁が完全に動作していないとみなし再度閉栓を繰り返す異常流量判定機能を有している。このとき誤った流量に基づき弁を駆動し閉栓させるとガス遮断装置の電源である電池を無駄に消費することとなる）を停止する。
【００４６】
以上のように、本実施の形態においては流量バイパス部２１が、流量算出部１２からのガス遮断装置が弁を開閉栓したとき発生する可能性のある一過性の異常な流量Ｂを排除することができ、一過性の異常な流量Ｂを異常流量判定すること回避することができる。
【００４７】
（実施の形態４）
図４は、本発明の実施の形態４におけるガス遮断装置の機能ブロック図を示すものである。なお、図１と同一の記号のものは同一の機能のため説明を省略する。
【００４８】
図４において、センサ異常判定部１８は異常バイパス部１７からのバイパス信号Ｆがなければ流量検出部１１の流量信号Ａが予め定められた異常条件に合致するかどうかの異常判定を実施し異常成立時にのみ弁閉信号Ｃを出力する。
【００４９】
異常バイパス部１７からのバイパス信号Ｆがあれば流量算出部１２の流量Ｂが所定以上（例えば、ガス種と異なる気体が混合している状態を下流側に十分に押し出した量の１０００Ｌ／ｈ以上の大流量）で場合、予め定められた異常条件の判定を実施し異常否成立（すなわち、一過性の異常な流量ではなくなった）になるとパージ完了信号Ｇを出力する（このときバイパス信号Ｆを停止するようにしても良い）。
【００５０】
なお、パージ完了信号Ｇにより本発明の実施の形態２の積算バイパスを停止（任意の時間を強制的に経過させる）することで一過性の異常な流量に基づく積算を排除したのち積算を再開させてもよい。
【００５１】
また、パージ完了信号Ｇにより本発明の実施の形態３の流量バイパスを停止（任意の時間を強制的に経過させる）することで一過性の異常な流量に基づく異常流量判定を排除したのち異常流量判定を再開させてもよい。
【００５２】
流量算出部１２の流量Ｂが所定未満（例えば、１０００Ｌ／ｈ未満）の場合は予め定められた異常条件の判定を停止する。
【００５３】
表示部２２はセンサ異常判定部１８のパージ完了信号Ｇを受け取るとパージ完了表示（例えば、ＬＣＤを用いて表示させてもよい。またＬＥＤやディスプレイ装置を使用しても同様の効果が得られる。なお表示期間を一定時間（例えば６０秒間）としてもよいし、人が操作して表示を解除してもよい）をする。
【００５４】
外部通信部２３はセンサ異常判定部１８のパージ完了信号Ｇを受け取ると外部に通報（例えば、公共の電話回線を使用してガス遮断装置を監視するセンタに通報してもよいし、電話回線の代わりにインターネットや無線通信によっても同様の効果が得られる）する。
【００５５】
以上のように構成されたガス遮断装置について、以下その動作、作用を説明する。
まず、バイパス信号Ｆがあり流量Ｂが所定以上の場合に、予め定められた異常条件の判定を実施し異常否成立であればパージ完了信号Ｇを出力し、表示出力と外部に通報する。
【００５６】
以上のように、本実施の形態においてはセンサ異常判定部１８が異常状態を脱却したことを検出することができるようになることで、ガスを使用しても大丈夫であることをガス
遮断装置の設置作業者に表示することやガス遮断装置を監視しているセンタに通報することができる。
【００５７】
実施の形態１〜４おいて一過性の異常な流量信号に基づく誤ったセンサ異常判定（積算および異常流量判定）を排除することが可能となる。そしてセンサや計測回路が物理的に破損または故障しているような永続的なものと、一過性の異常な流量信号に基づく異常とを切り分けることが可能となり、システムの信頼性を向上させることができる。
【産業上の利用可能性】
【００５８】
以上のように、本発明にかかるガス遮断装置は任意の時間判定をセンサ異常判定をバイパスすることが可能となり、一過性の異常な流量信号を排除することが可能となる。従って、センサや計測回路が物理的に破損または故障しているものと、一過性の異常な流量信号に基づくものとを切り分けることが可能となり、システムの信頼性を向上させることができるのでガスを水に置き換えれば、水道メータ等の用途にも適用できる。
【図面の簡単な説明】
【００５９】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】従来のガス遮断装置の機能ブロック図
【図６】受信波形の特性図
【符号の説明】
【００６０】
１１  流量検出部
１２  流量算出部
１３  異常流量判定部
１４  弁駆動部
１５  弁
１６  復帰入力部
１７  異常バイパス部
１８  センサ異常判定部
１９  積算バイパス部
２０  積算部
２１  流量バイパス部
２２  表示部
２３  外部通信部
【図１】
2007147430.tif 000003
【図２】
2007147430.tif 000004
【図３】
2007147430.tif 000005
【図４】
2007147430.tif 000006
【図５】
2007147430.tif 000007
【図６】
2007147430.tif 000008